(57)【特許請求の範囲】
【請求項１】
捕集媒体上に捕集された放射性ダストからの放射線を検出し、放射線レベルを測定する放射性ダスト測定装置であって、
接合、分離が可能であり、接合時に、内部に配置された捕集媒体を通る空気の流路を形成し、互いに対向する第１集塵筒と第２集塵筒とを含み、
第２集塵筒は、筒本体と、筒本体に対し傾動可能であって第１集塵筒との接合面を有する浮動筒と、筒本体と浮動筒との間に配置された弾性変形可能な第１弾性部材とを備え、
第１弾性部材は、浮動筒を第１集塵筒に向けて付勢し、変形によって浮動筒の傾動を許容する、
放射性ダスト測定装置。
【請求項２】
請求項１に記載の放射性ダスト測定装置であって、
筒本体と浮動筒は、第１集塵筒と第２集塵筒の対向方向において対面する対向面を有し、第１弾性部材は、筒本体と浮動筒のそれぞれの対向面の間に挟まれている、
放射性ダスト測定装置。
【請求項３】
請求項２に記載の放射性ダスト測定装置であって、
第２集塵筒は、第１弾性部材よりも第１集塵筒から離れた位置に配置された第２弾性部材を含み、第２弾性部材は、第１集塵筒と第２集塵筒の対向方向に直交し、かつ当該第２弾性部材が属する平面内の、筒本体に対する浮動筒の動きを規制する、
放射性ダスト測定装置。
【請求項４】
請求項３に記載の放射性ダスト測定装置であって、
第１弾性部材および第２弾性部材は、第１集塵筒と第２集塵筒により形成される空気の流路を取り囲むように配置され、筒本体と浮動筒の間の隙間を封止する、環状部材である、
放射性ダスト測定装置。
【請求項５】
請求項１から４のいずれか１項に記載の放射性ダスト測定装置であって、捕集媒体はろ紙であり、第１集塵筒と第２集塵筒はろ紙を挟んで接合する、放射性ダスト測定装置。
【発明の詳細な説明】
【技術分野】
【０００１】
本発明は、空気中のダストに含まれる放射性物質の放射線量を測定する放射性ダスト測定装置に関する。
【背景技術】
【０００２】
対象空間の空気を吸入して空気中のダストを捕集し、捕集されたダストから放射される放射線を測定する放射性ダスト測定装置が知られている。下記特許文献１には、固定集塵部（１）と可動集塵部（３）でろ紙（２）を挟み、２つの集塵部（１，３）を通して流れる空気中のダストをろ紙（２）上に捕集するダストサンプラが開示されている。下記特許文献１の図５に示される実施形態では、可動集塵部（３）は、リンク機構を介して駆動機構（１０）により駆動される。リンク機構は、その先端に球状の支持部を有する支持部材（３０）が設けられ、可動集塵部（３）は、支持部材（３０）により傾動可能に保持されている（段落００１３等参照）。可動集塵部（３）の傾動により、固定集塵部（１）と可動集塵部（３）を均一に密着させ、集塵部の気密度を高めることができる（段落０００６等参照）。なお、上記の（  ）内の符号は、下記特許文献１にて用いられた符号であり、本願の実施形態の説明で用いられる符号とは関連しない。
【先行技術文献】
【特許文献】
【０００３】
【特許文献１】特開２０００−１６２３１９号公報
【発明の概要】
【発明が解決しようとする課題】
【０００４】
特許文献１に記載された可動集塵部の傾動を許容する支持構造は複雑である。本発明は、気密性が高く、かつ簡易な構造の集塵部を提供することを目的とする。
【課題を解決するための手段】
【０００５】
本発明の放射線ダスト測定装置は、接合、分離が可能であって互いに対向する第１集塵筒と第２集塵筒を有する。第１集塵筒と第２集塵筒は、接合時に内部に配置された捕集媒体を通る空気の流路を形成する。第２集塵筒は、筒本体と、筒本体に対して傾動可能な浮動筒を備える。浮動筒は、第１集塵筒との接合面を有する。さらに、第２集塵筒は、筒本体と浮動筒の間に配置された弾性変形可能な第１弾性部材を備える。第１弾性部材は、浮動筒を第１集塵筒に向けて付勢し、変形によって浮動筒の傾動を許容する。
【０００６】
浮動筒の傾動により、第１集塵筒と第２集塵筒の傾きが吸収され、第１集塵筒の接合面と第２集塵筒の接合面の密着性を確保することができ、第１集塵筒および第２集塵筒の周囲に対する気密性が向上する。
【０００７】
筒本体と浮動筒は、第１集塵筒と第２集塵筒の対向方向において対面する対向面を有するものとでき、第１弾性部材は、これらの対向面の間に挟まれるものとできる。２つの対向面により第１弾性部材を挟む力の反力が第２集塵筒を第１集塵筒に向けて付勢する。
【０００８】
第２集塵筒は、第１弾性部材よりも第１集塵筒から離れた位置に配置された第２弾性部材を含む。第２弾性部材は、第１集塵筒と第２集塵筒の対向方向に直交し、かつ当該第２弾性部材が属する平面内の、筒本体に対する浮動筒の動きを規制する。浮動筒は、第２弾性部材が配置された位置を中心として傾動する。
【０００９】
第１弾性部材および第２弾性部材は、環状部材とすることができ、第１集塵筒と第２集塵筒により形成される空気の流路を取り囲むように配置され、筒本体と浮動筒の間の隙間を封止するようにできる。
【００１０】
捕集媒体はろ紙とすることができ、第１集塵筒と第２集塵筒はろ紙を挟んで接合するものとできる。
【発明の効果】
【００１１】
弾性部材により支持された浮動筒の傾動により、集塵部の気密性を確保することができる。
【図面の簡単な説明】
【００１２】
【図１】本実施形態の放射性ダスト測定装置の外観図である。
【図２】放射性ダスト検出装置の内部機構を示す正面図である。
【図３】集塵・検出部の外観斜視図である。
【図４】集塵・検出部の一部を破断した正面断面図である。
【図５】集塵・検出部の一部を拡大した断面図である。
【発明を実施するための形態】
【００１３】
以下、本発明の実施形態を図面に従って説明する。図１は、本実施形態の放射性ダスト測定装置１０の外観を示す斜視図である。放射性ダスト測定装置１０は、第１ユニット１２および第２ユニット１４の２個のユニットを含む。第１ユニット１２と第２ユニット１４は、図１に示すように第１ユニット１２を縦にした状態で重ねて設置することができる。また、図示しないが、第１ユニット１２は、縦にしたときの背面が下になるように横にした状態で第２ユニット１４上に重ねた状態で使用することもできる。
【００１４】
第１ユニット１２は、内部に後述の機能部および機構を収容した第１筐体１６を有する。第１筐体１６は、前面に第１ユニット扉１８を有する。また、第１ユニット１２は、直方体と台形柱を組み合わせた外形を有する。図１に示すように第１ユニット１２は、直方体の上に横倒しとなった台形柱を載せた形状となっている。この台形柱の部分は、直方体の部分の上面の後方に寄せて配置されている。また、台形柱の前方に向く面は、鉛直方向Ｌに対して傾いた斜面２０であり、この傾きによって斜めの上方を向いている。斜面２０には、操作パネル２２が配置される。操作パネル２２は、この放射性ダスト測定装置１０ではタッチパネルディスプレイで構成され、表示部と操作部が一体となっている。操作パネル２２の操作・表示面は、斜面２０と同一平面内、または平行な面内に配置され、斜面２０と同様、前方上方を向いている。
【００１５】
第２ユニット１４は、直方体の形状を有し、第１ユニット１２の下面と同一の形状の上面、下面を有する。したがって、第１ユニット１２と第２ユニット１４を重ねたとき、放射性ダスト測定装置１０は全体として四角柱の形状を有する。第２ユニット１４は、内部に後述の機能部を収容した第２筐体２６を有し、この第２筐体２６が第２ユニット１４の外形を規定する。第２筐体２６は、前面に第２ユニット扉２８を有する。
【００１６】
図２は、第１ユニット１２を縦配置した状態で第１ユニット扉１８を取り去り、第１ユニット１２の内部を見えるようにした正面図である。第１ユニット１２内には、空気中の放射性ダストをろ紙３４上に捕集し、捕集された放射性ダストからの放射線を検出する集塵・検出部３６と、集塵・検出部３６にろ紙３４を送り、使用済みのろ紙３４を回収するろ紙供給機構３８が収容されている。また、第２ユニット１４内には、集塵・検出部３６を通過する気流を生成する送気ポンプ４０と送気ポンプ４０に電力を供給する電源装置４２が収容されている。この放射性ダスト測定装置１０においては、長尺のろ紙３４が放射性ダストを捕集する捕集媒体として採用されている。
【００１７】
集塵・検出部３６は、ろ紙３４を上下から挟む第１集塵筒４４と第２集塵筒４６を含む。第１集塵筒４４は監視対象の空間と導入管４７（図３参照）により連通された内部空間を有する。第２集塵筒４６は、導出管４８を介して送気ポンプ４０に連通される内部空間を有する。ここで「筒」という用語は、外部から内部の空間を区画する部材の意味で用い、その形状については問わない。第１集塵筒４４と第２集塵筒４６によりろ紙３４を挟むことにより、第１集塵筒４４と第２集塵筒４６のそれぞれの内部空間がろ紙３４を介して外部から封止された状態で連通される。この状態で、送気ポンプ４０によって吸引を行うことにより、監視対象空間の空気をろ紙３４によりろ過することができる。この過程で放射性ダストはろ紙３４に捕集される。第１集塵筒４４内には、放射線検出器６４（図４参照）が配置され、捕集された放射性ダストからの放射線を検出する。
【００１８】
ろ紙供給機構３８は、長尺のろ紙３４を繰り出す側の繰り出しロール軸５０と、ろ紙３４を巻き取る側の巻き取りロール軸５２を有する。繰り出しロール軸５０には、使用前のろ紙３４のロールが装着され、巻き取りロール軸５２には、使用後のろ紙３４が巻き取られロールが形成される。ろ紙供給機構３８は、ろ紙３４を送る送りローラ５４およびろ紙３４を案内する複数のガイドローラ５６を有する。
【００１９】
送気ポンプ４０は、送気流量を所定値とするために直流モータを備える。また、交流モータを用いてもよい。電源装置４２は、交流電力を直流電力に変換する機能を有する。
【００２０】
図３は、集塵・検出部３６の外観を示す斜視図である。第１集塵筒４４と第２集塵筒４６は、ろ紙３４を挟んで配置される。送気ポンプ４０によって対象空間から吸入された空気は、導入管４７を通って、第１集塵筒４４の内部空間に導かれ、ろ紙３４を通過して第２集塵筒４６の内部空間に達し、更に導出管４８を通って送気ポンプ４０に吸引され、外部に排出される。第１および第２集塵筒４４，４６の内壁面は、例えば円筒形状である。
【００２１】
第２集塵筒４６は、第１集塵筒４４に対して進退機構５８に駆動されて進退する。進退機構５８は、駆動モータ６０、カム機構（不図示）およびばね６２（図４参照）を含む。駆動モータ６０の出力軸の回転運動がカム、リンク機構等の伝達機構（不図示）を介して進退運動に変換され、この進退運動がばね６２を介して第２集塵筒４６に伝達される。第２集塵筒４６は、集塵部フレーム６３に設けられた進退ガイド（不図示）に案内されて進退する。第１集塵筒４４は、集塵部フレーム６３に対して固定される。第２集塵筒４６が退避しているとき、第１集塵筒４４と第２集塵筒４６の間に隙間ができ、この隙間を通して長尺のろ紙３４を送ることができる。第２集塵筒４６が進出すると、第２集塵筒４６は、ろ紙３４を挟んで第１集塵筒４４に接合し、第１および第２集塵筒４４，４６の互いの接合する面は封止される。図１に示す態様では、第１集塵筒４４と第２集塵筒４６は鉛直方向において対向するが、他の方向、例えば水平方向において対向してもよい。また、下側に位置する集塵筒が進退可能であるが、上側の集塵筒、または両方を進退可能としてもよい。
【００２２】
図４，５は、一部を破断した状態で示す集塵・検出部３６の正面図であり、図５は、第１集塵筒４４と第２集塵筒４６の接合部分の拡大図である。第１集塵筒４４と第２集塵筒４６は概略円筒の内部空間を有し、お互いの中心軸が一致し、筒の端面同士が対向するように配置されている。
【００２３】
第１集塵筒４４の内部空間内には、放射線検出器６４が配置される。放射線検出器６４は、これに対向するろ紙３４に捕集された放射性ダストからの放射線を検出する。第２集塵筒４６は、導出管４８に連通する内部空間を有する筒本体６６と、筒本体６６に保持される浮動筒６８を含む。浮動筒６８は、筒形状または環形状の本体部の外周に設けられたフランジ７０を有する。浮動筒６８の本体部の形状は、例えば円筒である。浮動筒６８は、フランジ７０を互いに挟むように配置される筒本体６６の端面と保持リング７２により保持される。保持リング７２は、筒本体６６の外周面に設けられたねじ部にねじ結合する。浮動筒６８は、筒本体６６に対して傾動可能に保持され、フランジ７０の厚さより、筒本体６６および保持リング７２の間隔が大きいことにより浮動筒６８の傾動が許容されている。浮動筒６８は、第１集塵筒４４の端面に対向し、第２集塵筒４６が進出したときに、ろ紙３４を介して接合する接合面７４を有する。また、接合面７４には支持網７６が配置され、支持網７６は、通過する気流によって力が掛かるろ紙３４を支える。支持網７６は、外周に環状の板部材の枠を有し、枠の内側に網部材が配置されている。また、ろ紙３４が十分に強ければ、網がなくてもよい。
【００２４】
筒本体６６と浮動筒６８の間には、２個の弾性部材が配置される。この放射性ダスト測定装置１０では、弾性部材としてゴム製のシールリング７８，８４が採用されている。シールリング７８，８４は、例えばＯリングとすることができる。第１シールリング７８は、第１および第２集塵筒４４，４６の対向方向（以下、集塵筒対向方向と記す。）において対向するフランジ７０の側面８０と筒本体６６の端面８２の間に配置される。第２シールリング８４は、集塵筒対向方向に直交する方向において対向する、浮動筒６８の外周面と筒本体６６の内周面に設けられた溝８６の底面との間に配置される。第１シールリング７８は、浮動筒６８に対して主にスラスト方向（第２集塵筒４６の軸線方向）の力を作用させ、第２シールリング８４は、主にラジアル方向（第２集塵筒４６の径方向）の力を作用させる。また、第１および第２シールリング７８，８４は、筒本体６６と浮動筒６８の間の封止を行う。
【００２５】
第２シールリング８４は、集塵筒対向方向に直交する平面内に配置され、この平面内の、筒本体６６に対する浮動筒６８の動きを規制する。したがって、浮動筒６８が傾動する場合、径方向の動きは、第２シールリング８４で規制された部分が最も小さくなる。また、第２シールリング８４は、浮動筒６８が傾動可能なように、第２シールリング８４が接触している浮動筒６８の部分のスラスト方向の動きを自身が変形することによって許容している。浮動筒６８は、第１シールリング７８のつぶれ代が十分に残された状態で保持リング７２によって筒本体６６に対して保持されている。つぶれ代を確保することによって、浮動筒６８の傾動が許容される。第１シールリング７８は、第１シールリング７８が接触している浮動筒６８の部分のラジアル方向の動きを自身が変形することによって許容している。浮動筒６８は、第１および第２シールリング７８，８４の変形によって、傾動が許容されると共に、集塵筒対向方向およびこれに直交する方向の動きも許容され、筒本体６６に対して浮動状態で支持されている。
【００２６】
第１集塵筒４４の第２集塵筒４６側の端には、径方向内側に向けて内向きフランジ８８が設けられ、さらに内向きフランジ８８の先端には、第２集塵筒４６に向けて突出した環状の突条９０が設けられている。環状の突条９０は、第１集塵筒４４と第２集塵筒４６が接合するとき、ろ紙３４に接触する。突条９０の先端の狭い領域に力が集中することでろ紙３４がつぶれ、第１および第２集塵筒４４，４６とろ紙３４の隙間が少なくなる。なお、第２集塵筒４６の、突条９０に対向する部分には、支持網７６の枠が配置されている。支持網７６の枠の平坦な面とろ紙３４が接触し、突条９０に圧力を付与されることによって、枠とろ紙３４の隙間が小さくなる。
【００２７】
次に、集塵・検出部３６の動作について説明する。まず、第１集塵筒４４と第２集塵筒４６が離れている状態で、ろ紙３４を送って新規の部分が２つの集塵筒４４，４６の間に位置するようにする。進退機構５８により、第２集塵筒４６を第１集塵筒４４に向けて進出させる。浮動筒６８の接合面７４がろ紙３４を介して第１集塵筒４４の端面、特に突条９０の先端面に当接する。このとき、浮動筒６８の接合面７４の１箇所が先に第１集塵筒４４に当接した場合には、第１および第２シールリング７８，８４の変形によって浮動筒６８が傾動する。この傾動によって、不均一な接合が解消され、全周にわたって均一な圧力で第１集塵筒４４と第２集塵筒４６が接合する。
【００２８】
第１集塵筒４４と第２集塵筒４６が接合した状態で、所定時間、送気ポンプ４０を動作させる。送気ポンプ４０によって生成された気流は、第１集塵筒４４の内部空間から、挟まれたろ紙３４を通過して第２集塵筒４６の内部空間へと流れる。ろ紙３４を通過する過程で、空気中に含まれるダストがろ紙３４に捕集される。所定時間の送気ポンプ４０の動作後、放射線検出器６４により放射線の検出を行う。また、送気ポンプ４０を駆動して空気を吸引中に並行して放射線の検出を行ってもよい。ろ紙３４に捕集されたダストが放射性物質を含んでいる場合、この放射性ダストからの放射線が検出される。この放射線の検出に基づき放射線レベルの測定が行われる。放射線レベルの測定が終了した後、第２集塵筒４６が進退機構５８により退避され、第１集塵筒４４と第２集塵筒４６が離れる。そして、ろ紙３４を送って、使用済みの部分を２つの集塵筒４４，４６に挟まれた領域から除き、新規の部分をこの領域に配置する。所定時間ごとに上記の動作および測定を繰り返し、対象空間の放射性レベルを監視する。
【符号の説明】
【００２９】
１０  放射性ダスト測定装置、１２  第１ユニット、１４  第２ユニット、１６  第１筐体、１８  第１ユニット扉、２０  斜面、２２  操作パネル、２６  第２筐体、２８  第２ユニット扉、３４  ろ紙、３６  集塵・検出部、３８  ろ紙供給機構、４０  送気ポンプ、４２  電源装置、４４  第１集塵筒、４６  第２集塵筒、４７  導入管、４８  導出管、５０  繰り出しロール軸、５２  巻き取りロール軸、５４  送りローラ、５６  ガイドローラ、５８  進退機構、６０  駆動モータ、６２  ばね、６３  集塵部フレーム、６４  放射線検出器、６６  筒本体、６８  浮動筒、７０  フランジ、７２  保持リング、７４  接合面、７６  支持網、７８  第１シールリング、８０  フランジの側面、８２  筒本体の端面、８４  第２シールリング、８６  溝、８８  内向きフランジ、９０  突条。
【図１】
0006560132.tif 000002
【図２】
0006560132.tif 000003
【図３】
0006560132.tif 000004
【図４】
0006560132.tif 000005
【図５】
0006560132.tif 000006